(57)【要約】      （修正有）【課題】換気用開口部を遮断シート又は扉枠や窓枠で閉鎖した際に、遮断シートと換気用開口部の口縁部との間に発生する、接触又は密着不良によるすきま風の発生を防止して、温室の熱効率を高め、或いはすきま風による作物の発育不良などの弊害を未然に防ぐ、すきま風防止構造を提供する。【解決手段】温室に形成された通風開口部１の口縁部に沿って、又は逆に前記通風開口部１を開閉する窓枠５０、６０若しくは扉枠４０の周辺部であってその通風開口部１Ａ、１Ｂ、１Ｃの口縁へ接する面部に空気封入チューブ１０ａ、１０ｂが設置され、更に空気を取り込んで前記空気封入チューブ内へ吹き込み、同チューブを膨張させる電動ファンが設置されており、空気封入チューブを膨張させた状態で、閉鎖状態に操作した遮断シート４又は窓枠、扉枠と前記通風開口部とを前記空気封入チューブを仲介として密接させ隙間の発生を防ぐ構成とした。【選択図】図２
2015133913.tif 000002
【特許請求の範囲】
【請求項１】
温室に形成された通風開口部の口縁部に沿って、又は逆に前記通風開口部を開閉する窓枠若しくは扉枠の周辺部であって前記通風開口部の口縁へ接する面部に空気封入チューブが設置され、更に空気を取り込んで前記空気封入チューブ内へ吹き込み、同チューブを膨張させる電動ファンが設置されており、
前記空気封入チューブを膨張させた状態で、閉鎖状態に操作した遮断シート又は窓枠、扉枠と前記通風開口部とを前記空気封入チューブを仲介として密接させて隙間の発生を防ぐ構成としたことを特徴とする、通風換気構造温室のすきま風防止構造。
【請求項２】
温室に形成された通風開口部の一つの口縁に沿って遮断シートの一側端縁が止着され、同遮断シートの他側の端縁部がシート巻き軸へ巻き込まれ、このシート巻き軸を正・逆方向へ回転することにより、遮断シートで通風開口部を閉鎖し又は開放する構成の通風換気構造において、
上記通風開口部の口縁のうち、上記遮断シートの一側端縁を止着した口縁を除く他の口縁に沿って、温室被覆シートの外面側に、遮断シートが接する空気封入チューブが設置され、外気を取り込んで前記空気封入チューブ内へ吹き込み、同チューブを膨張させる電動ファンが設置されており、
前記空気封入チューブを温室被覆シートの外面側へ膨張させた状態で、閉鎖状態に操作した遮断シートが前記空気封入チューブへ密接する構成とされ、
更に、上記通風開口部の上方口縁部を形成するシート止め材と、下方のシート止め材との間へ上下方向の向きに、遮断シート及びシート巻き取り軸とその遮断シートロールを外側から押さえ付ける押さえ紐が、棟方向に間隔をあけて必要数設置されている構成を特徴とする、通風換気構造温室のすきま風防止構造。
【請求項３】
通風開口部の口縁に沿って設けた温室被覆シートの外面側に設けた空気封入チューブ、又は窓枠若しくは扉枠の周辺部に設置された空気封入チューブのうち、結露水等が流れ下る下方部位のチューブに、同水滴を外部へ排出するに足る口径と配置及び個数の排水孔が設けられていることを特徴とする、請求項１又は２に記載した、通風換気構造温室のすきま風防止構造。
【発明の詳細な説明】
【技術分野】
【０００１】
この発明は、いわゆるビニルハウス等の温室において、換気用開口部を設けて、同開口部を開閉操作して通風換気や温度調節などを行う通風換気構造温室において、その換気用開口部を遮断シート又は扉枠や窓枠（以下、遮断シートで代表する場合がある。）で閉鎖した際に、遮断シートと換気用開口部の口縁部との間に発生する、接触又は密着不良によるすきま風の発生を防止して、温室の熱効率を高め、或いはすきま風による作物の発育不良などの弊害を未然に防ぐ、すきま風防止構造の技術分野に属する。
【背景技術】
【０００２】
現今、野菜や果物類のハウス栽培は常識化しており、季節を問わぬ農産物の生産、出荷が市場を豊かにしている。
しかし、寒冷期における作物の栽培環境の保全に要する暖房費の負担が、生産者に大きくのしかかって問題になっている。  
特に簡易で安価なビニルハウスの場合、夏期には室内の高温化を防ぐ目的で、及び日常的に室内の通風換気を行う手段として、下記の特許文献１、２に開示され、或いは図２、図３に例示した構成原理の通風換気構造温室が広く実施されている。即ち、ビニルハウスの側面や天井面、或いは妻面などに、いわゆる側窓、天窓、妻窓或いは出入り口などとして相当広さの通風開口部が形成される。
そうした通風開口部をいちいち例示することは省略するが、代表的な側面の通風開口部１について説明すると、図２、図３に例示したように、通風開口部１の上縁を形成するシート止め材３から遮断シート４（通例、透明なプラスチックシート）を吊り下ろし、同遮断シート４の下端縁側をシート巻き取り軸５へ巻き込む。このシート巻き取り軸５を回転機６により正転方向へ回転して、遮断シート４を巻き上げることにより、通風開口部１を広く露出させて（開放させて）通風換気の目的を達成する。逆に、前記シート巻き取り軸５を回転機６により逆転方向へ回転して、遮断シート４を通風開口部１の下縁より以下まで巻き下げることにより、通風開口部１の全面を閉鎖して、ビニルハウスの密閉状態を再現して室内温度の維持を図る方式の通風換気構造温室が既に広く知られ実施されている。
【０００３】
上記の通風開口部１の形成に関しては、上記シート巻き取り軸５で遮断シート４を巻き下げる下限位置よりも少し高い位置に、通風開口部１の下縁部を形成するシート止め材３０を設置する。このシート止め材３０は、開口上縁部を形成するシート止め材３と平行な水平方向に設置する。このシート止め材３０と、更にその下方の地面に接地する位置に設けたシート止め材３１との間に、いわゆる側面方向（棟方向）の捨て張りシート７が張付けられる。
のみならず、当該ビニルハウスの側面と妻面との境界（コーナー部）に位置する上下方向のシート止め材３２の位置から、棟方向（側面方向）の内方へ一定の距離（通例は５０ｃｍ〜１００ｃｍ程度）寄った位置に、前記上下方向のコーナー部シート止め材３２と平行する配置に、通風開口部１の縦縁を形成するシート止め材３３が設置される。そして、このシート止め材３３と前記コーナー部に位置する上下方向のシート止め材３２との間にも上下方向の捨て張りシート８を設置して、上記遮断シート４で開閉する通風開口部１が気密構造に形成され、前記遮断シート４で周辺部まできっちりと確実に開閉できる構成とされている。
【０００４】
更にいえば、上記遮断シート４をその下端縁側から巻込んだシート巻き取り軸５で上記通風開口部１を開閉する場合に、同シート巻き取り軸５及び遮断シートロール４ａが風の作用で揺らぎ動く不都合を防止する手段として、上記通風開口部１の上縁を形成したシート止め材３と、下方の接地位置に設けたシート止め材３１との間に、遮断シート４及びシート巻き取り軸５（遮断シートロール４ａ）の上下移動を許容する強さで外側から押さえ付ける、弾性な押さえ紐９が、棟方向に通例５０ｃｍ〜１００ｃｍ程度の間隔で多数設置されてもいる（図２、図３を参照）。
なお、現状では、前記押さえ紐と併用する手段として、又は押さえ紐に代える手段として、幅が２０ｃｍにも及ぶ広幅のベルトを使用し、又は適度に重量があるパイプを温室の外側から立てかけて押さえ付けることも行われているので、下記「押さえ紐」の記載には、前記の各手段が含まれることを、念のため申し添える。
また、図２、図３に示した上記遮断シート４を巻き込んだシート巻き取り軸５の前記回転機６は、遮断シート４の開閉方向（上下方向）と平行する配置で、下端を地面へ突き刺して固定したガイドロッド１１に沿い、上下方向へシート巻き取り軸５の変位に追従して移動するように、且つシート巻き取り軸５の回転に対して回転機６を回転させないだけの反力を付与するように設置されている。この回転機６は、ハンドル６ａを手で回す手動式の他、モータ駆動による電動式も使用されている。
ビニルハウスの場合、上記したシート止め材３及び３０〜３３には、通例、当該出願人が開発して製造、販売しているビニペット（登録商標）の名称で知られた、主に開口部が幅狭の溝形材３ａと、台形波が交互に繰り返すスプリング材３ｂとによる部材（図４、図５参照）が好適に使用される。
【先行技術文献】
【特許文献】
【０００５】
【特許文献１】特開２００３−１４３９７３号公報
【特許文献２】特開２００９−２７３３８９号公報
【発明の概要】
【発明が解決しようとする課題】
【０００６】
上記の通り、シート巻き取り軸５を回転して遮断シート４を巻き込み又は巻き戻す手法で通風開口部１を開閉操作して通風換気を行う通風換気構造温室は、上記の特許文献１、２に開示された構成に限らず、種々な構造、型式のものが知られ、実施されている。
しかし、寒冷期における作物の栽培環境の保全と、それに伴う暖房燃料費の負担が、生産者に大きくのしかかっている現実は、未だ解決するべき技術的課題として、当業者を悩ましており、得心できる解決策を創案することが急務となっている。  
その技術的課題を具体的に説明すると、次のようである。
上述した遮断シート４を、その下端縁側から巻込んだシート巻き取り軸５を正・逆方向へ回転して通風開口部１を開閉する構成の場合、同遮断シート４及びシート巻き取り軸５（遮断シートロール４ａ）は、間断無く吹き付ける風の風圧、風速、風向などの多様な変化に伴って共に揺らぎ動く。その結果、隙間を生じてすきま風の発生原因となる不都合が知られ、その防止対策を工夫することの重要性が知られている。
従来、上記問題の対策手段として、上記通風開口部１の上縁部を形成するシート止め材３と、接地部位のシート止め材３１との間に、上下方向の向きに、遮断シート４及びシート巻き取り軸５（遮断シートロール４ａ）を外側から押さえ付けるが、シート巻き取り軸５（遮断シートロール４ａ）の上下移動（開閉動作）は許容する強さのいわゆる押さえ紐９が、棟方向に通例５０ｃｍ〜１００ｃｍ程度の間隔で多数設置されていることは既に上述した。
しかし、もともとビニルハウスが本来簡易なフレーム構造であるが故に、遮断シート４及びシート巻き取り軸５（遮断シートロール４ａ）と、上記した通風開口部１を形成する両横位置のシート止め材３３及び下縁位置のシート止め材３０、並びに各捨て張りシート７及び８との密着状態（密閉状態）は、構造上決して宜しくない。その上、遮断シート４及びシート巻き取り軸５（遮断シートロール４ａ）を外側から押さえ付ける押さえ紐９が、棟方向に通例５０ｃｍ〜１００ｃｍ程度の間隔で多数設置されているとはいえ、基本的にシート巻き取り軸５を回転させつつ上昇させ又は下降させる移動を許容する程度に緩く押さえ付ける構成であるから、広い面積の遮断シート４が強風を受けて揺らぐのを防止することは困難である。
このような理由で、換気用開口部１の縦、横の開口縁を形成した上記シート止め材３３及び３０と遮断シート４との密着状態（密閉状態）を完全に保つことを期待することに無理がある。
要するに、ビニルハウスに向かって吹き付ける風の風向及び風圧、風速の間断無い変化に伴い、遮断シート４（遮断シートロール４ａ）と換気用開口部１の縦、横の開口縁を形成する上記シート止め材３３及び３０との揺らぎは避けられず、そうした揺らぎの都度に隙間を生じ、その隙間からのすきま風がビニルハウスの室内へ侵入する現象、或いは逆に室内の暖気を吸い出す現象を防ぎ得ないのが現状である。
因みに、ビニルハウスに常備される上述したいわゆる側窓、天窓、妻窓或いは出入り口などに関しても、上記同様の問題点が知られ、その解決策が要望されている。
【０００７】
上記した開口部のすきま風による被害を更に具体的に説明すれば次の通りである。
先ず第１の被害は、寒冷期における暖房効率低下の問題である。即ち、せっかく重油や灯油を燃やしてビニルハウス内を暖めても、上記遮断シート４と換気用開口部１の開口縁３３及び３０との間に隙間を生ずると、必然、その隙間から外部の冷気がすきま風として侵入する。或いは逆に室内の暖気が吸い出されてしまう。その結果、すきま風の流通分だけ暖房効果、暖房効率の低下を避けられない。
因みに、ビニルハウスの規模は、小さいものでも棟方向長さは１０ｍ程度、大規模なものでは３０ｍ〜５０ｍに及ぶものも珍しくない。その分、側窓等によるすきま風の被害も大きく、現状では暖房効率が２０％程度低下されていると言われる。その結果、生産者が負担する燃料費（東北、北海道では一冬の燃料費が数百万円とも言われる。）を重くしている。その結果、燃料費の負担分だけ生産物の市場価格を押し上げるから、市場性を損ない、或いは生産者の利益を薄める結果となっている。
第２の被害は、ビニルハウスの室内において、上記すきま風が侵入する場所では、すきま風による冷気、寒気の悪影響で作物の生育が著しく阻害されてしまう。その結果、商品としての作物を生産できず、結局、ビニルハウスの敷地面積を有効活用できないという問題点が、生産者の大きな悩みになっている。
【０００８】
したがって、本発明の目的は、第一に、ビニルハウスに向かって吹き付ける風の風向及び風圧、風速の間断ない変化の作用で多少の揺らぎを生じても、その揺らぎを補って、例えば上記遮断シート４及び遮断シートロール４ａと換気用開口部１の各開口縁３３及び３０との間に隙間を発生させない構成を実現して、構造的にすきま風の発生原因を解消することである。つまり、上記通風開口部１を、例えば遮断シート４等で開閉する操作に支障をきたない構成で、しかも隙間の発生を可及的に防止する構造を実現して、すきま風がビニルハウスの室内に入り込み、又は逆に室内の暖気が吸い出される不都合な現象を確実に防止可能に構成した、すきま風防止構造を提供することである。
本発明の次の目的は、従前のビニルハウスに実施されている、換気用開口部１の開口縁３３及び３０と遮断シート４、及び遮断シート４を巻き取り軸５に巻き込んだ遮断シートロール４ａを外側から押さえ付ける押さえ紐９との共同作用で換気用開口部１を開閉する通風換気構造の構成原理を基本的に保持しつつ、すきま風の発生原因を構造的に解決して、しかも実施が容易な、すきま風防止構造を提供することである。
本発明の更なる目的は、すきま風がビニルハウスの室内に侵入することが原因で発生する、暖房効果の低下や作物の生育不良の被害を防止可能で、ビニルハウスの有効生産量を高め得る、すきま風防止構造を提供することである。
【課題を解決するための手段】
【０００９】
上記した目的を達成する手段として、請求項１に記載した発明に係る、通風換気構造温室のすきま風防止構造は、
温室に形成された通風開口部１の口縁部に沿って、又は逆に前記通風開口部１を開閉する窓枠５０、６０若しくは扉枠４０の周辺部であってその通風開口部１Ａ、１Ｂ、１Ｃの口縁へ接する面部に空気封入チューブ１０ａ、１０ｂが設置され、更に空気を取り込んで前記空気封入チューブ内へ吹き込み、同チューブを膨張させる電動ファン１５が設置されており、
前記空気封入チューブ１０ａ、１０ｂを膨張させた状態で、閉鎖状態に操作した遮断シート４又は窓枠５０、６０、扉枠４０と前記通風開口部１Ａ、１Ｂ、１Ｃとを前記空気封入チューブを仲介として密接させ隙間の発生を防ぐ構成としたことを特徴とする。
【００１０】
請求項２に記載した発明に係る、通風換気構造温室のすきま風防止構造は、
温室に形成された通風開口部１の一つの口縁３に沿って遮断シート４の一側端縁が止着され、同遮断シート４の他側の端縁部はシート巻き軸５へ巻き込まれ、このシート巻き軸５を正・逆方向へ回転することにより、遮断シート４で通風開口部１を閉鎖し又は開放する構成の通風換気構造において、
上記通風開口部１の口縁のうち、上記遮断シート４の一側端縁を止着した口縁３を除く他の口縁３０と３３に沿って、温室被覆シート７、８の外面側に、前記遮断シート４が接する空気封入チューブ１０ａ、１０ｂが設置され、更に空気を取り込んで前記空気封入チューブ１０ａ、１０ｂ内へ吹き込み、同チューブ１０ａ、１０ｂを膨張させる電動ファン１５が設置されており、
前記空気封入チューブ１０ａ、１０ｂを温室被覆シート７、８の外面側へ膨張させた状態で、閉鎖状態に操作した遮断シート４が前記空気封入チューブ１０ａ、１０ｂへ密接する構成とされ、
更に、上記通風開口部１の上方口縁部を形成するシート止め材３と、下方のシート止め材３１との間に、上下方向の向きに、遮断シート４及びシート巻き取り軸５とその遮断シートロール４ａを外側から押さえ付ける押さえ紐９が、棟方向に間隔をあけて必要数設置されている構成を特徴とする。
【００１１】
請求項３に記載した発明は、請求項１又は２に記載した通風換気構造温室のすきま風防止構造において、
通風開口部１の口縁に沿って設けた温室被覆シートの外面側に設けた空気封入チューブ１０ａ、１０ｂ、又は窓枠若しくは扉枠の周辺部に設置された空気封入チューブのうち、結露水等が流れ下る下方部位のチューブに、同水滴を外部へ排出するに足る口径と配置及び個数の排水孔１６が設けられている構成を特徴とする。
【発明の効果】
【００１２】
本発明による通風換気構造温室のすきま風防止構造によれば、通風開口部１の口縁に沿って温室被覆シート７、８の外面側に設けた空気封入チューブ１０ａ、１０ｂ、又は窓枠若しくは扉枠の周辺部に設置された空気封入チューブが柔軟性を有して膨張されるので、その膨張量の分だけ分厚い、しかも弾力性、柔軟性に富んだ口縁が形成される。
そのためシート巻き軸５の回転操作によって展開された遮断シート４の閉鎖状態、或いは手動操作で、若しくはリンク機構等の開閉機構を通じて開閉される扉枠若しくは窓枠の閉鎖時には、通風開口部の空気封入チューブが膨張して分厚く、しかも弾力性、柔軟性に富んだ口縁を形成するので、必ず確実に全面一様の密接状態を実現して、隙間の発生が防止される。
【００１３】
特に、遮断シート４及び遮断シートロール４ａによる開閉構造の場合は、外側を複数の押さえ紐９などにより押さえ付けられるので、前記密接状態は強制的な拘束を受ける。
手動操作で、若しくはリンク機構等の開閉機構を通じて開閉される扉枠若しくは窓枠の場合は、手動により、又はリンク機構等の開閉機構を通じて押し付ける操作を実行することにより、確実に全面一様の密接状態を実現して、隙間の発生は防止される。
とりわけビニルハウスに向かって間断なく吹き付ける風の風向及び風圧、風速の大小変化に応じて、遮断シート４或いは扉枠若しくは窓枠が揺らぎ動いても、その揺らぎ動作に対して、空気封入チューブが膨張した厚み、或いは柔軟な変形性能の限度に追従動作して、接触部分に隙間を生ずることはない。
従って、そうした隙間からすきま風がビニルハウスの室内外に出入りする不都合な現象は未然に確実に防止される。
その結果、すきま風の侵入によって、又はビニルハウス内の暖気が漏出して、同ビニルハウスの室内を加温する暖房効率が損なわれる不都合は防止できる。よって、寒冷期に燃やす重油や灯油の暖房用燃料費を、例えば２０％程度節減できる。その結果、産品の出荷価格を抑制でき、或いはその節減分を生産者の利益に還元できるなど、価格競争を優位に進める効果が得られる。
前記効果はまた、本発明の実施に必要な資材は、特に言えば空気封入チューブ及び電動ファンの消費、消耗でしか無く、安価であり、設置作業も容易であるから、経済的効果に優れていることを特筆できる。
その他、外の冷気がビニルハウスの室内へすきま風として侵入することを防止できる結果、従来、前記冷たいすきま風が直接接当たる場所に育成する作物が、冷気の悪影響で生育を著しく阻害され、栽培効率を低下させる被害も未然に防止できる。その結果、ビニルハウスの有効栽培面積が高められ、生産量を増やし、又は産品の品質向上に大きな効果を得ることができる。
【図面の簡単な説明】
【００１４】
【図１】巻き軸による通風換気構造温室について本発明のすきま風防止構造の構成原理を概念的に例示した斜視図である。
【図２】本発明の巻き軸による通風換気構造温室のすきま風防止構造の構成を現状の実施例に沿ってより詳細に示すと共に、天窓、妻窓、出入り口扉などを概念図として併記した斜視図である。
【図３】同じく巻き軸によるすきま風防止構造の主要部の構成を現状の実施例に沿って更に具体的に示した斜視図である。
【図４】Ａは従来実施されている巻き軸による通風開口部の開閉構造の原理を示す縦断面図、Ｂは本発明によるすきま風防止構造の構成原理を示した縦断面図である。
【図５】Ａは本発明によるすきま風防止構造に用いる空気封入チューブの構成及び設置要領を示した縦断面図、Ｂは同空気封入チューブの設置状態を示す正面図の一部である。
【図６】Ａ、Ｂは上記空気封入チューブを縦横のコーナ部で接続する前後の構成の変化例を示した説明図である。
【図７】Ａ、Ｂは上記空気封入チューブを縦横のコーナ部で接続する前後の構成の変化例を示した説明図である。
【図８】Ａ、Ｂは上記空気封入チューブの縦横のコーナ部をエルボチューブを用いて接続する前後の構成の変化例を示した説明図である。
【発明を実施するための形態】
【００１５】
本発明による通風換気構造温室のすきま風防止構造は、温室に形成された通風開口部の口縁部に沿って、又は逆に前記通風開口部を開閉する窓枠若しくは扉枠の周辺部であって前記通風開口部の口縁へ接する面部に空気封入チューブが設置され、更に空気を取り込んで前記空気封入チューブ内へ吹き込み、同チューブを膨張させる電動ファンが設置される。
前記空気封入チューブを膨張させた状態で、閉鎖状態に操作した遮断シート４又は窓枠、扉枠と前記通風開口部とは前記空気封入チューブを仲介として密接させて隙間の発生を防ぐ構成とした。
【００１６】
特に、巻き軸による通風換気構造温室のすきま風防止構造の場合、即ち、温室に形成された通風開口部１の一つの口縁３に沿って遮断シート４の一側端縁部が止着され、同遮断シート４の他側の端縁部がシート巻き軸５へ巻き込まれ、このシート巻き軸５を正・逆方向へ回転させることによって、遮断シート４で前記通風開口部１を閉鎖し又は開放する構成の換気構造温室の場合は、上記通風開口部１の口縁のうち、上記遮断シート４の一側端縁部を止着した口縁３を除く他の口縁３３と３０に沿って、温室被覆シート７、８の外面側に、遮断シート４が外接する空気封入チューブ１０ａ、１０ｂを設置する。更に、空気を取り込んで前記空気封入チューブ１０ａ、１０ｂ内へ吹き込み、同チューブを膨張させる電動ファン１５が設置される。
そして、電動ファン１５を駆動させて空気封入チューブ１０ａ、１０ｂを温室被覆シート７、８の外面側へ膨張させ、閉鎖状態とした遮断シート４が前記空気封入チューブ１０ａ、１０ｂへ外接（密接）する構成とした。
また、上記巻き軸５による換気構造温室のすきま風防止構造においては、上記通風開口部１の上方口縁部を形成するシート止め材３と、下方のシート止め材３１との間に、上下方向の向きに、遮断シート４及びシート巻き取り軸５とその遮断シートロール４ａを外側から押さえ付ける押さえ紐９が、棟方向に間隔をあけて必要数設置される。
なお、 押さえ紐と併用する手段として、又は押さえ紐に代える手段として、上述したように幅が２０ｃｍにも及ぶ広幅のベルトを使用し、又は適度に重量があるパイプを温室の外側から立てかけて押さえ付ける手段が実施されることを付言しておく。
【００１７】
なお、上記の各空気封入チューブ１０ａ、１０ｂに関しては、チューブ内に発生するであろう結露などの水滴が流れ下る下方部位１０ａに、同水滴を速やかに外部へ排出するに足る口径と配置及び個数で排水孔１６を設けることも実施上肝要である。
【実施例１】
【００１８】
以下に、先ずは請求項２、３に記載した発明であって、巻き軸による通風換気構造温室のすきま風防止構造の実施例を説明する。
図１、図２に概念的を示したように、ビニルハウスで代表される簡易構造の温室には、通風換気と温暖期の室内温度調節を目的として、例えば温室の側面の棟方向に長い通風開口部１が、通例、同温室の棟方向長さ一杯の矩形状に形成される。そして、同通風開口部１の一つの口縁、通例は上側口縁部を形成するシート止め材３に沿って、遮断シート４の上側端縁部が止着されて吊り下げられる。この遮断シート４の反対側縁、即ち下側端縁部は  通風開口部１の上縁（シート止め材３）と平行に配置した巻き軸５へ巻き込まれてシート巻きロール４ａを形成する。
つまり、前記巻き軸５を妻面側端部へ突き出させた位置に回転機６を設置し、同回転機６を正転方向へ回転させることにより、遮断シート４を必要な高さまで巻き上げて、前記通風開口部１を、通風換気或いは温度調節の目的に適する広さ（開度）まで開放（開口）させる。
或いは逆に、上記回転機６により前記巻き軸５を逆転方向へ回転させて、遮断シート４を必要な位置まで巻き下げて、通風開口部１の開口度を狭めたり、又は全閉状態に閉じる構成の通風換気構造温室は、既に広く実施されて公知、周知に属する。
【００１９】
上記構成の通風換気構造温室について、本発明では、通風開口部１の口縁のうち、上記遮断シート４の上端縁部を止着した開口上縁のシート止め材３を除く他の３辺の口縁に、それぞれの口縁を形成する左右両横辺のシート止め材３３、３３、及び底辺のシート止め材３０を利用して、温室被覆シート７、８の外面側（図４Ｂを参照）に、遮断シート４が外接する空気封入チューブ１０ａ、１０ｂを、各口縁に沿って設置した構成に特徴を有する。
上記の空気封入チューブ１０ａ、１０ｂには、そのチューブ内に通じる適所に、例えば図１に例示した実施例では、両横位置の空気封入チューブ１０ｂにおけるいずれか一方（又は両方）の上方位置に、小型モータを動力源とする送風用のファンモータ１５（商品名）が設置されている。つまり、このファンモータ１５を連続運転することによって空気の取り込みを行わせ、空気封入チューブ１０ａ、１０ｂを一連に一定の膨張度(図４Ｂ参照）にまで常時膨らませる構成とされている。もっとも、上記のファンモータ１５は空気封入チューブから離隔した位置に設置して、接続管を使用して繋いだ構成で実施することもできる。
因みに、前記ファンモータ１５は、１ヶ月間連続運転しても、その間の消費電力費は約１００円相当でしかなく、極めて安価に使用できることは周知である。
上記ファンモータ１５は、設計上又は実施上の必要に応じて、好適な場所に必要台数を設置して実施することができる。また、空気封入チューブ１０ａ、１０ｂ内の空気圧を常時計測して、ファンモータ１５の運転に反映させる制御を行いつつ連続的に自動運転を行い、もって電気料金の節約を図る実施が好ましい。
要するに、空気封入チューブ１０ａ、１０ｂ内の空気圧は、常に目一杯の膨張状態に保つ必要はない。図４Ｂに例示したように、背後（内側）を温室の被覆シート（捨て張りシート７又は８）に支持される構成とするので、押さえ紐９に押された巻き軸５と共に遮断シート４が空気封入チューブ１０ａ、１０ｂへ押し付けられ、柔軟な同チューブを若干押し潰す形に密接する状態に膨張させておれば足りる。
かくすると、図４Ｂ中に外気（風）の流れ線２０を模式的に表示したように、上記遮断シート４と空気封入チューブ１０ａとの密接状態により、隙間の発生はなく、すきま風の侵入は確実に阻止される。このすきま風防止の作用効果は、図４Ａに示した従来構造と比較すれば明らかであろう。従来構造では、単に巻き軸５及びシート巻ロール４ａが重量効果でぶら下がり、緊張状態の遮断シート４が口縁へ接して隙間を塞ぐ構成と比較すれば、本発明によるすきま風防止の構成及び作用効果の優位性を理解されるであろう。
【００２０】
上記した空気封入チューブ１０ａ、１０ｂが、遮断シート４との密接状態を確実に実現するために必要な構成の一例を図５Ａ、Ｂに示した。
図５Ａ、Ｂでは、空気封入チューブ１０ａの製作に、例えばビニルハウスの被覆材として使用されるプラスチックシートを用い、上下方向の折幅２Ｈを３５０ｍｍ程度の幅寸で帯状に長く裁断した帯材をほぼ二つ折り状態に折り曲げる。そして、一方の縁辺（図示例では上縁部分）を上記のシート止め材３０にて止着するのに必要十分な幅寸ｈ（少なくとも８０ｍｍ程度。）が自由部分として残るように下がった位置に、幅約５ｃｍ程度の帯状に連続する溶着処理部Ｓを形成して、密封構造で長い空気封入チューブ１０ａが形成されている。
前記溶着処理部Ｓより外側の自由部分ｈを、温室の被覆シート（図示例の場合は捨て張りシート７又は８）と合一に、通風開口部１の各口縁を形成するシート止め材３０（又は３３）へ止着して、同捨て張りシート７又は８の外面に空気封入チューブ１０ａ、１０ｂが設置される。
【００２１】
なお、図５Ａ、Ｂには、空気封入チューブ１０ａが通風開口部１の下縁に沿って水平方向に設置された場合を考慮して、この空気封入チューブ１０ａの内部で結露等により発生し流下してくる水滴を適宜に外部へ排出する手段として、同空気封入チューブ１０ａの下方部位に、流れ下ってきた水滴を速やかに外部へ流出させるに適切な口径と配置及び個数による排水孔１６が設けられた構成を示している。図示例の場合、排水孔１６は、空気封入チューブ１０ａの下方側折り目を中心として、上下方向の両側面に合計６個の列状配置で、しかもチューブ長手方向には５０ｃｍ程度の間隔Ｐをあけて多数列に設けた構成例を示している。排水孔１６の口径は、空気の漏洩を極力少なくする配慮で、最大でもφ３ｍｍ程度とされる。
もっとも、排水孔１６は、空気封入チューブ１０ａ内に生じた水液をできるだけ速やかに外部へ排出して水溜まりの弊害を未然に防止できれば良いから、上記配列と構成に限る理由はない。
【００２２】
次に、図６〜図８は、上記のように作製して設置する空気封入チューブ１０ａと１０ｂを、通風開口部１の各口縁に沿って、例えば図１に例示した凹形状に、一連に連通した構成に製作する方法、特にコーナ部が一連の連通状態に接続させる作製方法の異なる実施例を示している。
先ず図６Ａは、通風開口部１の下縁側に位置する空気封入チューブ１０ａの端部に、溶着処理部部Ｓを含む矩形状部Ｃ１の切除処理を行う。また、通風開口部１の両横開口縁に位置させる空気封入チューブ１０ｂについては、その下端を、溶着処理部Ｓを含む矩形状部Ｃ２について切除処理を行った形状を図示している。
そして、図６Ｂでは、前記のように切除処理した矩形状部Ｃ１、Ｃ２を組み合わせることでチューブ同士の直角な接続を行い、同接続部は例えば接着テープ２０により一体的に結合した構成の実施例を示している。
【００２３】
次に、図７Ａは、本来は１本に繋がっている空気封入チューブ１０ａの中間位置に、約９０度にカットする切断を行った状態を示す。そして、図７Ｂでは、前記カット部分について右側の空気封入チューブ１０ｂを立て起し、前記カット部分を接合した上で、例えば接着テープ２０により一体的に結合して縦・縁の空気封入チューブ１０ｂを一連に接合した構成の実施例を示している。
更に、図８Ａでは、通風開口部１の下縁及び両横縁に設置する空気封入チューブ１０ａと１０ｂそれぞれのチューブ部分へ丁度嵌め合わせ接続ができる形状のエルボチューブ２１が用意される。
その上で図８Ｂでは、前記エルボチューブ２１を用いて、開口下縁側の空気封入チューブ１０ａと縦縁側の空気封入チューブ１０ｂとの接続を行っている。更に、前記接続部を接着テープ２０でしっかり結合して完成した実施例を示している。
もっとも、以上は通風開口部１の下縁の空気封入チューブ１０ａと両横に位置する縦縁の空気封入チューブ１０ｂの接続例を示したものに過ぎず、前記の構成に限る意味ではない。通風開口部１の各口縁に沿って一連に連通する構成で設置可能であれば、如何様にも構成して実施することができる。
【実施例２】
【００２４】
次に、順序が前後したが、上記実施例１の構成の理解を前提にして、請求項１に記載した発明であって、巻き軸及び遮断シートを用いないで、窓枠、扉枠による通風換気構造の温室に関するすきま風防止構造の実施例を説明する。
即ち、通風換気構造温室には、上記巻き軸及び遮断シートを用いて通風換気を行う構成が主流であるけれど、補助的、補足的設備として、図２に例示した出入り口扉４０の開閉、妻窓枠５０の開閉、或いは天窓６０の開閉による通風換気の設備を用意することが一般的に実施されている。
したがって、こうした出入り開口１Ａや妻窓開口１Ｂ、天窓開口１Ｃにも、上記すきま風の問題は当然に起こり、その対策が求められている。
そこで本発明では、先ず出入り開口１Ａや妻窓開口１Ｂ、天窓開口１Ｃにおけるすきま風防止構造を、上記の空気封入チューブ１０ａを用いて、以下のように構成して実施することに特徴を有する。
基本的な考え方では上記実施例１と共通するが、具体的手段としては、出入り開口１Ａや妻窓開口１Ｂ、天窓開口１Ｃを開閉するには、扉枠４０や窓枠５０、６０の開閉に際しては、物理的、機械的な力を作用させられる。そこで前記の物理的、機械的な力を活用する構成とした点が、上記巻き軸５及び遮断シート４による実施例と異なっている。  
即ち、図２中に示した出入り口扉４０の開閉は、通例ビニルハウスの使用者が手作業で開閉する。そこで、前記の使用法を前提にすると、出入り開口１Ａの上下の開口縁に沿って上記ファンモータ１５を備えた空気封入チューブ１０ａを設置して膨張させる。或いは出入り口を開閉する１枚又は２枚の扉枠４０のうち、扉枠同士が相互に突き合わされる自由端側（回転側）の縦縁に沿って少なくともその一方側の縦縁方向に、やはりファンモータ１５を備えた空気封入チューブ１０ａを設置して膨張させる構成とする。
かく構成すると、使用者が出入り口扉４０を手動で閉鎖した際に、扉枠へ最終的に若干強い力を加えて前記空気封入チューブ１０ａへの押し圧力を高める閉止を行うことで、空気封入チューブ１０ａによる隙間の解消を有効に行え、すきま風の弊害を防止することができる。
【００２５】
また、図２中に示した妻窓開口１Ｂを片開き式の妻窓枠５０で開閉する構成の場合には、妻窓開口１Ｂのうち、妻窓枠５０のヒンジ位置を除く３辺の縁に沿ってファンモータ１５を備えた空気封入チューブ１０ａを設置して、又は逆に妻窓枠５０の対応する３辺の窓開口縁に沿って、ファンモータ１５を備えた空気封入チューブ１０ａを設置して、同チューブを膨張させると、やはり、すきま風防止構造を実現できる。
即ち、妻窓開口１Ｂを片開き式で開閉する手段としては、通例、バネ等を利用したリンク機構７０が採用されている。そこで同リンク機構７０を通じて窓枠の閉止状態に若干の圧力を加える操作を実施する。そうすると上記膨張した空気封入チューブ１０ａとの接触状態が密接になり、すきま風を防止する構造になる。
更に、図２中に示した、上方へ突き上げることによって開き、引き下げることにとって閉止する方式の天窓の場合には、同天窓開口１Ｃの口縁全周に沿って、又は逆に天窓枠体６０の外周縁辺の全周に沿って、上記ファンモータ１５を備えた空気封入チューブ１０ａを設置することによって、同様にすきま風防止構造を実施できる。
即ち、開閉機構８０により天窓枠体６０を開閉操作し、天窓枠体６０を引き下げて強く閉止すると、必ず空気封入チューブ１０ａを介して隙間のない密閉状態を実現でき、すきま風を防止する構造になる。
【００２６】
以上に本発明を、好ましい実施例に基づいて説明したが、もとより上記実施例の構成に限る意味ではない。本発明の要旨を逸脱しない範囲で、いわゆる当業者が必要に応じて行う設計変更その他の変形、応用を含むことを念のため申し添える。
【符号の説明】
【００２７】
１          通風開口部
３、３１、３３  開口縁のシート止め材
４          遮断シート
５          シート巻き軸
７、８      温室被覆シート’（捨て張りシート）
１０ａ、１０ｂ  空気封入チューブ
１５        ファンモータ
１６        排水孔
４０        出入り口扉
５０        妻窓枠
６０        天窓枠
【図１】
2015133913.tif 000003
【図２】
2015133913.tif 000004
【図３】
2015133913.tif 000005
【図４】
2015133913.tif 000006
【図５】
2015133913.tif 000007
【図６】
2015133913.tif 000008
【図７】
2015133913.tif 000009
【図８】
2015133913.tif 000010